(57)【要約】【課題】情報を報知するために発光する表示光と、演出のために発光する演出光とが互いに接近していても相互に影響を及ぼすことなく、確実に情報を報知し、かつ、設定通りの演出効果を維持する。【解決手段】第１の電飾部と、第２の電飾部に照射される光路とは、案内部材２３６（第６層）の本体部２３８によって遮蔽される。入賞カウント表示用光学部材２０８、第１の演出用光学部材２１４、第２の演出用光学部材２１８のそれぞれに照射される光路が、主として遮蔽板２２６によって遮蔽される。演出用光源基板２３２と情報表示用光源基板２４２とを独立して、二層構造とした。光源基板の複数層構成に対して、遮蔽板２２６及び本体部２３８を組み付けることによる相乗効果で、相互の光が干渉し合うことを防止するといった、従来にはない作用効果をもたらすことができる。【選択図】図６
2016041220.tif 000002
【特許請求の範囲】
【請求項１】
一方の端面側に第１の光源が配置され、他方の端面側に第１の光学部材が配置され、予め定められた形状で両端面側を貫通する貫通路が形成された案内部材を備えた第１の電飾部と、
前記案内部材の周囲に配置された第２の光源から発した光を、前記貫通路とは分断された光路によって、前記第１の光学部材の周囲に設けられた第２の光学部材に案内する第２の電飾部と、
を有する表示装置。
【請求項２】
前記第２の光源が、複数の群に分類され、
前記第２の電飾部が、それぞれの群毎に光路を区画する遮蔽部材を備えることを特徴とする請求項１記載の表示装置。
【請求項３】
前記第１の光源が、複数の発光素子の集合体であり、
前記案内部材には、複数の貫通路が形成され、各貫通路には、少なくとも１個の発光素子が対峙され、
前記発光素子の発光形態により、前記第１の光学部材には、予め定めた文字又は図形が表示されることを特徴とする請求項１又は請求項２記載の表示装置。
【請求項４】
前記第１の電飾部が、前記第１の光源で発光しかつ前記貫通路を通過した光が前記第１の光学部材を通過するときの透過率を制限すると共に、前記光を拡散する光制限部材を備えることを特徴とする請求項１〜請求項３の何れか１項記載の表示装置。
【請求項５】
前記請求項１〜請求項４の何れか１項記載の表示装置と、
遊技の進行に応じて、前記第１の電飾部及び第２の電飾部の少なくとも一方を制御して、視覚を通じた演出を実行する演出制御手段と、
を有する遊技機。
【発明の詳細な説明】
【技術分野】
【０００１】
本発明は、情報を報知するために発光する表示光と、演出のために発光する演出光とが互いに接近して組み込まれた表示装置、及び表示装置を搭載した遊技機に関するものである。
【背景技術】
【０００２】
遊技機、特にパチンコ機の遊技盤面には、役物装置や装飾部材が取り付けられている。これらの役物装置や装飾部材には、電飾効果を発揮するための発光装置や表示装置が具備され、視覚的な演出効果をもたらす、或いは、遊技進行中の情報を報知するようになっている。
【０００３】
ここで、市販されている表示器、例えば、７セグメント表示器に代えて、個体発光素子でオリジナルの７セグメント表示器を製作する場合がある。
【０００４】
参考として、特許文献１には、表面側の表示面に文字や数字等を透過照明により表示させる表示装置として、表面板とベース部材表面との間に位置ずれがある場合でも、ベース部材の背面側にセグメント状に配置された各光源による透過照明によって表面板上に文字や数字などを鮮明に表示させることができる照明装置が開示されている。この特許文献１の表面板は、光を透過可能で全面がスモーク状に形成されていることが記載されている。
【０００５】
ところが、上記オリジナルの７セグメント表示器において、出射端面にスモークレンズを配置しただけでは、リフレクタに形成したセグメントの表示領域全体が均一に光らない場合がある。
【０００６】
そこで、オリジナルの７セグメント表示器の基本構成として、個体発光素子の発光側に各セグメント形状の貫通孔が形成された筒状のリフレクタを配置し、さらに、発光光が当該リフレクタの貫通孔を通過して出射する端面側にスモークフィルムや拡散フィルムを配置するようにしている。
【先行技術文献】
【特許文献】
【０００７】
【特許文献１】特開２００８−１２９３９８号公報
【発明の概要】
【発明が解決しようとする課題】
【０００８】
しかしながら、従来のリフレクタ構造では、７セグメントの周囲に、演出効果を高めるために発光する演出用発光装置を配置するスペースが制限される場合がある。
【０００９】
また、演出用発光装置を７セグメント表示器と関わりなく配置すると、演出用発光装置からの光と、７セグメント表示器の光とが相互に混ざり合うことがある。
【００１０】
このため、例えば、７セグメント表示器によって報知される情報の視認性が低下する、或いは、演出用発光装置による発光パターンに不要な光が混ざり演出効果が低下する、といった不具合が起こり得る。
【００１１】
本発明は上記事実を考慮し、複数の光が相互に影響を及ぼすことなく、設定通りの演出効果を維持することができる表示装置、遊技機を得ることが目的である。
【課題を解決するための手段】
【００１２】
本発明は、一方の端面側に第１の光源が配置され、他方の端面側に第１の光学部材が配置され、予め定められた形状で両端面側を貫通する貫通路が形成された案内部材を備えた第１の電飾部と、前記案内部材の周囲に配置された第２の光源から発した光を、前記貫通路とは分断された光路によって、前記第１の光学部材の周囲に設けられた第２の光学部材に案内する第２の電飾部と、を有している。
【００１３】
本発明によれば、第１の電飾部の周囲に第２の電飾部を配置した。この場合、第１の電飾部の光（第１の光源の発光光）と、第２の電飾部の光（第２の光源の発光光）が混ざり合い、互いの電飾効果を低下させる場合があった。
【００１４】
しかし、本発明では、案内部材が遮蔽機能を有しているため、案内部材の貫通路を通過する光が外に漏れることがなく、また、案内部材の周囲の光が貫通路へ侵入することがない。このため、第１の電飾部と第２の電飾部とで、相互に干渉することがなく、独立した電飾演出が可能となる。
【００１５】
また、本発明において、前記第２の光源が、複数の群に分類され、前記第２の電飾部が、それぞれの群毎に光路を区画する遮蔽部材を備えることを特徴とする。
【００１６】
第２の電飾部では、例えば、第２の光源が複数の発光素子を備え、この発光素子が複数の群に分類され、群毎に独立した電飾演出を実行する場合がある。このとき、遮蔽部材により、群毎に光路を区画することで、それぞれの電飾演出に対して、互いに影響し合うことが防止される。
【００１７】
さらに、本発明において、前記第１の光源が、複数の発光素子の集合体であり、前記案内部材には、複数の貫通路が形成され、各貫通路には、少なくとも１個の発光素子が対峙され、前記発光素子の発光形態により、前記第１の光学部材には、予め定めた文字又は図形が表示されることを特徴とする。
【００１８】
複数の発光素子がそれぞれ、文字の一部（１ドット、１セグメント）を担っており、貫通路を通過して第１の光学部材から出力される光の発光形態により、文字又は図形を表示することができる。
【００１９】
例えば、貫通路が７セグメントパターンの各セグメントの形状であり、各貫通路に１つ以上の発光素子を対向させることで、各発光素子の発光形態で０〜９までの数字（文字）を第１の光学部材に表示することができる。なお、貫通路（セグメント）の配置により、星、円、多角形、ハート等の図形を表示することも可能である。
【００２０】
また、貫通路をマトリクス状のドットパターンとすれば、数字、ひらがな、カタカナ、アルファベット、漢字といった文字や、星、円、多角形、ハート等の図形を表示することも可能である。なお、表示可能な文字又は図形は、ドットパターンに依存する。
【００２１】
また、本発明において、前記第１の電飾部が、前記第１の光源で発光しかつ前記貫通路を通過した光が前記第１の光学部材を通過するときの透過率を制限すると共に、前記光を拡散する光制限部材を備えることを特徴とする。
【００２２】
第１の電飾部では、第１の光源が発光すると、その光は、案内部材に形成された貫通路（光路）を通過して第１の光学部材へ到達する。この到達した光は、光路が貫通路の形状に制限されるため、第１の光学部材を通過して表示される光は、当該貫通路の形状で表示される。
【００２３】
ここで、第１の光源が非発光のときであっても、案内部材の他方の端面側が第１の光学部材に対向しているため、貫通路の形状が透けて、陰影として被目視者に見える場合がある。そこで、光制限部材により、第１の光源で発光しかつ前記貫通路を通過した光が第１の光学部材を通過するときの透過率を制限した。
【００２４】
例えば、光制限部材としては、第１の光学部材にＮＤ（Neutral Density）フィルタ（例えば、スモークシート）を貼り付けることで実現可能である。この光制限部材により、第１の光源部の非発光時は、案内部材（貫通路の形状）が透けて見えることが回避される。
【００２５】
また、案内部材と第２の光学部材との相互の位置関係において光量むらが発生し、案内部材の他方の端面側に形成された貫通路の形状のまま第２の光学部材に到達しない場合がある。そこで、光制限部材に、光を拡散する機能をさらに備えることで光量むらを解消し、第２の光学部材に表示する形状を貫通路の形状に対応させることができる。
【００２６】
本発明は、前記表示装置と、遊技の進行に応じて、前記第１の電飾部及び第２の電飾部の少なくとも一方を制御して、視覚を通じた演出を実行する演出制御手段と、を有する遊技機である。
【００２７】
本発明の遊技機では、遊技者に対して、遊技の進行に応じた情報や期待感を、視覚を通じて報知することができる。
【００２８】
なお、光学部材（第１の光学部材、第２の光学部材）は、レンズ、ミラー等、直進する光を屈折して集光したり、拡散する偏向部材が代表的である。また、光学部材は、波長板等、光が波であることの性質を用いて偏光する偏光部材を含む。さらに、適用される部材の透過度は、０％〜１００％までの範囲で限定されるものではない。
【００２９】
また、本発明では、光学部材の厚さや形状は限定されるものではなく、フィルム状、シート状、平板状、波板状、凹面状、凸面状、凹凸面状、球面状、非球面状、ファイバー状等を含み、全ての形状が対応可能である。また、入射表面、反射表面が梨地やシボといった特定加工されたもの、流動体（ゲル状）で形状が変化するもの、外観は固体であり内部に流動体を注入したもの等、特殊光学部材も含む。
【００３０】
さらに、広い概念で、透過性の部材に不純物を混入して、光を乱反射させたり、吸収するような部材も、本発明では、光学部材の範疇とする。
【発明の効果】
【００３１】
以上説明した如く本発明では、複数の光が相互に影響を及ぼすことなく、設定通りの演出効果を維持することができるという優れた効果を有する。
【図面の簡単な説明】
【００３２】
【図１】本実施の形態に係るパチンコ機の正面図である。
【図２】本実施の形態に係る遊技盤の正面図である。
【図３】本実施の形態に係るセンター役物の正面図である。
【図４】本実施の形態に係る制御系のハード構成を示すブロック図である。
【図５】本実施の形態に係るセンター役物の上部に設けられた電飾装置の正面図である。
【図６】本実施の形態に係る電飾装置の分解斜視図である。
【図７】本実施の形態に係る電飾装置を一部断面とした分解斜視図である。
【図８】本実施の形態に係る案内部材の正面図である。
【図９】図５のＩＸ−ＩＸ線断面図である。
【図１０】図５のＸ−Ｘ線断面図である。
【発明を実施するための形態】
【００３３】
（パチンコ機の構成）
図１に示されるように、パチンコ機１０の前面下部には、化粧パネルとなる下飾り１２が取り付けられている。
【００３４】
また、パチンコ機１０の下飾り１２の上部には、ガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００３５】
ガラス枠１６の下部には、一体皿２４が配置されている。一体皿２４の図１の右端部には、鍵穴２７が設けられている。
【００３６】
一体皿２４には、上皿部２８Ｕ、下皿部２８Ｄが設けられている。上皿部２８Ｕの周縁壁部３２における図１の右端部には、球貸ボタン４２と、返却ボタン４４が設けられている。
【００３７】
また、上皿部２８Ｕの周縁壁部３２の左右方向中央部には、遊技者が押圧操作及び、又は回転操作可能な操作部５０が設けられている。この操作部５０は、遊技中において、操作有効期間中に操作することで、演出（画像表示、機構動作）に対して介入することができるようになっており、それぞれの遊技仕様によって設定される。
【００３８】
一方、下皿部２８Ｄには、球抜きボタン３６が設けられ、この球抜きボタン３６を操作することで、下皿部２８Ｄに貯留された遊技球を外部（例えば、所謂「ドル箱」）へ排出することができるようになっている。
【００３９】
また、一体皿２４の右側下部には打球の発射力（飛距離）を調整するためのグリップユニット２６（「（発射ハンドル２６」という場合がある）が取り付けられている。
【００４０】
一体皿２４における下皿部２８Ｄの図１の左側には低音用のスピーカ６０Ｕが配置されている。また、ガラス枠１６の上部角部には、中高音用のガラス枠スピーカ６０Ｌ、６０Ｒが内蔵されている。なお、スピーカ６０Ｌ、６０Ｒ、６０Ｕを総称して、スピーカ６０という場合がある。スピーカ６０は、例えば、照明演出に同期して、聴覚を通じた演出（音楽、音声、効果音の出力）を実行する。
【００４１】
（遊技盤の構成）
図２に示される遊技盤１８は、基板となるベニヤ板に樹脂製シート状のセルが貼着されてそのセルの表面が盤面となっている。なお、透明のアクリル板の前面側もしくは裏面側にセルが貼着されたセット板が重ねられる場合もある。
【００４２】
遊技盤１８は、その盤面の外周端部付近に、円弧状の外レール１０２及び内レール１０４が取り付けられている。これらの外レール１０２及び内レール１０４によって囲まれた円形状の領域は、発射装置１６５（図４参照）から発射されて打ち込まれた遊技球ＰＢが自重落下により移動可能とされ、この領域が遊技を行う遊技領域とされている。
【００４３】
遊技盤１８の遊技領域には、釘１９及び風車２１が点在して打ち込まれている。また、遊技領域におけるほぼ中央には、センター役物１０５（役物装置）が配置されている。ここで、遊技盤１８において、センター役物１０５の周囲の遊技盤面が通常遊技領域１８Ａとされ、センター役物１０５の内側の領域は、この通常遊技領域１８Ａとは区画された特定遊技部１０５Ａとなる。センター役物１０５には一部に入賞流入口１１０が形成され、開閉部材としての羽根部材１１２が取り付けられ、この羽根部材１１２が開放しているときにかぎり、通常遊技領域１８Ａにある遊技球ＰＢを特定遊技部１０５Ａへ入賞させることが可能となっている。なお、センター役物１０５の構造については、後述する。
【００４４】
センター役物１０５の下部には、入賞役物装置１１６が設けられている。
【００４５】
入賞役物装置１１６には、その中央にセンター特定入賞口１１８Ｃが設けられ、その左右に一対のサイド特定入賞口１１８Ｌ、１１８Ｒが設けられている。なお、センター特定入賞口１１８Ｃ、サイド特定入賞口１１８Ｌ、１１８Ｒを総称する場合、単に、特定入賞口１１８という。
【００４６】
また、センター役物１０５並びに入賞役物装置１１６の左右には、それぞれ一般入賞口１１４（合計４個の一般入賞口１１４）が設けられている。ここで、一般入賞口１１４はそれぞれ入賞すると、所定数（例えば、１０〜１５球）の賞球払い出しが実行されるようになっている。なお、一般入賞口１１４の配置数、賞球数は、遊技仕様や出玉率によって変更する場合がある。
【００４７】
一方、特定入賞口１１８は、それぞれ入賞すると、所定数（１〜５球）の賞球払い出しが実行されると共に、前記羽根部材１１２を所定期間開放する契機となる。
【００４８】
また、遊技盤１８の通常遊技領域１８Ａの最下位置には、何れの入賞口にも入賞しない球を遊技盤１８の裏側へ排出するアウト口１２３が設けられている。
【００４９】
（センター役物１０５）
図３に示される如く、本実施の形態に係るセンター役物１０５は、左右対称形状とされ、その左右には、それぞれ縦壁部１２２が形成され、前記遊技盤１８の通常遊技領域１８Ａ（図２参照）とは区画されている。また、センター役物１０５の天井部は、本発明の表示装置の一例である電飾装置１２４が取り付けられている。この電飾装置１２４では、遊技の進行に応じた情報を報知したり、遊技者に期待感を持たせるための視覚を通じた演出を実行するようになっている。なお、電飾装置１２４の詳細な構成については、後述する。
【００５０】
一対の縦壁部１２２の上端部と、前記電飾装置１２４との間は開口しており、センター役物１０５内の特定遊技部１０５Ａへの一対の入賞流入口１１０とされている。
【００５１】
一対の縦壁部１２２の上端部には、羽根部材１１２が回転軸１１２Ａを介して、回転可能に取り付けられている。回転軸１１２Ａは、羽根部材ソレノイド１１２ＳＬ（図４参照）がリンク機構（図示省略）を介して取り付けられている。
【００５２】
羽根部材１１２は、羽根部材ソレノイド１１２ＳＬへの励磁制御によって、回転軸１１２Ａを中心に回転される。例えば、羽根部材ソレノイド１１２ＳＬが非励磁の場合は縦位置（図３の実線参照）となり、励磁の場合は横位置（図３の想像線参照）となる。
【００５３】
一対の羽根部材１１２は、前記センター特定入賞口１１８Ｃ、サイド特定入賞口１１８Ｌ、１１８Ｒ（図２参照）に遊技球ＰＢが入賞すると開放するようになっている。一例として、遊技球ＰＢが、一対のサイド特定入賞口１１８Ｌ、１１８Ｒの何れかに入賞すると、羽根部材１１２が１回、所定時間（約０．５秒〜１．０秒間）開放するように羽根部材ソレノイド１１２ＳＬを駆動制御する。また、遊技球ＰＢがセンター特定入賞口１１８Ｃに入賞すると、羽根部材１１２が２回、所定時間（約０．５秒〜１．０秒間）開放するように羽根部材ソレノイド１１２ＳＬを駆動制御する。
【００５４】
前記１対の羽根部材１１２の開放中に、左右の何れかの入賞流入口１１０から入賞した遊技球ＰＢは、中間ステージ部１３０へ案内されるようになっている。
【００５５】
中間ステージ部１３０は、落下面が奥側にいくに従い低位となる傾斜面に形成され、遊技球ＰＢは、中間ステージ部１３０の奥側に転動するようになっている。
【００５６】
また、中間ステージ部１３０の奥側における幅方向中央部には、円筒部材１３２が配置されている。円筒部材１３２は、円筒部材モータ１３２Ｍ（図４参照）の駆動力により、円筒軸を中心に回転可能となっている。
【００５７】
また、前記中間ステージ部１３０の奥側における、前記円筒部材１３２が配置された幅方向中央部以外は、堰き止め壁１３４が配置されている。堰き止め壁１３４は、堰き止め壁ソレノイド１３４ＳＬ（図４参照）のアクチュエータに連結され、堰き止め壁ソレノイド１３４ＳＬの通電、非通電（励磁、非励磁）によって、堰き止め位置又は堰き止め解除位置の少なくとも２位置に移動可能となっている。
【００５８】
前記円筒部材１３２は、その上端部は半球状に形成され、下端部は前記中間ステージ部１３０を突き抜けて、当該中間ステージ部１３０よりも下方に設けられたＶ入賞案内ステージ部１３６にまで至っている。
【００５９】
円筒部材１３２は、その周面の一部に貫通孔１３２Ａが設けられている。貫通孔１３２Ａの上端は、前記中間ステージ部１３０の遊技球転動面よりも高く、貫通孔１３２Ａの下端は、前記Ｖ入賞案内ステージ部１３６の遊技球転動面に配置されている。
【００６０】
Ｖ入賞案内ステージ部１３６は、奥側から手前側にいくに従い低位となる傾斜面に形成されている。Ｖ入賞案内ステージ部１３６の手前側は、複数の受入口が設けられ、その中央がＶ入賞口１３８、それ以外が外れ口１４０とされている。Ｖ入賞口１３８、外れ口１４０に連通する流路には、それぞれ別々の球検出センサ１３８Ｓ、１４０Ｓ（図４参照）が設けられている。
【００６１】
ここで、通常状態では、前記堰き止め壁１３４が堰き止め解除状態となっており、羽根部材１１２の開放によって前記中間ステージ部１３０に案内された遊技球ＰＢは、そのほとんどが、円筒部材１３２の両側から外れ口１４０へと誘導される。また、円筒部材１３２の貫通孔１３２Ａを通過した遊技球ＰＢは、中間ステージ部１３０の奥側からＶ入賞案内ステージ部１３６へ落下し、予め設定した確率の下（遊技球ＰＢの動向が加味されて）、Ｖ入賞口１３８へ至るか、外れ口１４０へ至るかの何れかの結果となる。
【００６２】
ここで、Ｖ入賞口１３８に到達すると大当たりとなり、大役処理が実行される。大役処理とは、前記羽根部材１１２を通常遊技状態よりも長い期間（開放時間×開放回数）開放する動作を１ラウンドとして、その後のセンター役物１０５内での遊技球の動向によって、予め定められた最大ラウンドを限度として、複数ラウンド繰り返す（ラウンド更新する）遊技を言う。ラウンド更新は、当該ラウンド中における入賞口１３８への入賞である。
【００６３】
大役処理中は、前記堰き止め壁１３４が堰き止め位置にあり、中間ステージ部１３０には、多くの遊技球ＰＢが貯留されることになる。この遊技球ＰＢの貯留量が所定量を超えると、前記円筒部材１３２の前方まで遊技球ＰＢが貯留されてくることになる。このとき、貯留されてきた遊技球ＰＢが、貫通孔１３２Ａまで到達すると、遊技球ＰＢは、貫通孔１３２Ａから円筒部材１３２の内方へ入り、Ｖ入賞案内ステージ部１３６に落下する。
【００６４】
貫通孔１３２Ａは、Ｖ入賞ステージ部１３６の幅方向中央部に位置するため、この遊技球ＰＢは、Ｖ入賞案内ステージ部１３６の傾斜に従って手前側に転動して、Ｖ入賞口１３８に到達し易くなっている。
【００６５】
この結果、遊技球ＰＢを貯留するという遊技者介入によって、ラウンド更新を得るとことになる（自力継続タイプ）。なお、前記堰き止め壁１３４は、ラウンド更新が決定する、あるいは所定時間が経過すると、堰き止め解除状態となる。
【００６６】
なお、遊技仕様は一例であり、上記自力継続タイプに限らず、予め定められたラウンド数が確約されたタイプ（規定ラウンドタイプ）であってもよい。
【００６７】
また、本実施の形態の電飾装置１２４は、上記で示した遊技仕様とは異なる種類の遊技仕様であっても適用可能である。その他の遊技仕様の一例としては、始動入賞口に遊技球が入賞することで、内部的に特別図柄抽選が実行され、当該特別図柄抽選の結果を報知する共に、特別図柄抽選の結果が大当たりの場合に、通常は閉鎖されている大入賞口を所定時間、所定回数開放する遊技仕様が挙げられる。
（制御系の構成）
次に、図４を用いてパチンコ機１０の制御系について説明する。
【００６８】
本実施形態に係るパチンコ機１０の制御系は、図４に示されるように、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００６９】
主制御部１５０からは盤用外部端子１９０を介してホールコンピュータ（図示省略）へ遊技の進行状態を示す情報（始動入賞信号や大当たり信号、図柄確定回数信号）が送信される。なお、盤用外部端子１９０は、後述する枠用外部端子１９１と共有の基板を用いてもよい。すなわち、盤用外部端子１９０と枠用外部端子１９１は、構造的に単一であってもよい。
【００７０】
主制御部１５０には、入力系として、一般入賞口１１４への入賞球を検出する一般入賞センサ１１４Ｓ、センター特定入賞口１１８Ｃへの入賞球を検出するセンター特定入賞口用球検出センサ１１８ＣＳ、サイド特定入賞口１１８Ｌ、１１８Ｒへの入賞球を検出するサイド特定入賞口用球検出センサ（Ｌ）１１８ＬＳ、サイド特定入賞口用球検出センサ（Ｒ）１１８ＲＳ、入賞流入口１１０からセンター役物１０５内に流入したことを検出する球検出センサ１１０Ｓ、Ｖ入賞口１３８に入賞した遊技球ＰＢを検出するＶ入賞口用球検出センサ１３８Ｓ、外れ口１４０に流入した遊技球を検出する外れ口用球検出センサ１４０Ｓが接続されている。
【００７１】
また、主制御部１５０には、遊技とは直接関係ない入力系として、ガラス枠１６の開閉状態を検出するガラス枠開閉状態検出センサ１６Ｓ、一体皿２４の開閉状態を検出する皿ユニット開閉状態検出センサ２４Ｓ、遊技盤１８の振動を検出する振動検出センサ１４２、遊技盤１８周囲の所定範囲の磁力（特に、遊技球ＰＢの動きを制御し、遊技に不正をもたらす磁力）を検出する磁力検出センサ１４３が接続されている。
【００７２】
また、主制御部１５０には、出力系として、遊技情報や遊技状態をランプの点灯状態で報知するガイドランプユニット１０９、羽根部材１１２を開閉するための羽根部材ソレノイド１１２ＳＬ、円筒部材１３２を回転するための円筒部材モータ１３２Ｍ、堰き止め壁１３４を動作するための堰き止め壁ソレノイド１３４ＳＬが接続されている。
【００７３】
演出制御部１５２には、入力系として、前記操作部５０が接続されている。また、演出制御部１５２には、出力系として、パチンコ機１０の各種遊技部品に設けられた照明演出用の発光素子１３７、電飾装置１２４、スピーカ６０（６０Ｌ、６０Ｒ、６０Ｕ）が接続されている。
【００７４】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射力を制御する。
【００７５】
さらに、払出制御部１５４では、枠用外部端子１９１を介して払出情報をホールに設置されたホールコンピュータ（図示省略）へ送信するようになっている。なお、枠用外部端子１９１は、前述した盤用外部端子１９０と共有の基板を用いてもよい。すなわち、盤用外部端子１９０と枠用外部端子１９１は、構造的に単一であってもよい。
【００７６】
（電飾装置１２４の詳細構成）
以下、図５〜図１０に従い、センター役物１０５の上部に設けられた電飾装置１２４の詳細構成について説明する。
【００７７】
図５に示される如く、電飾装置１２４は、センター役物１０５のベース部１０５Ｂから前方に突出するように飾りカバー２００が配置されている。飾りカバー２００は、例えば、クロムメッキ等がほどこされ、センター役物１０５の全体に対して、電飾装置１２４の存在が強調されている。飾りカバー２００は、全体として円形であり、図５の下方には一対の脚部２００Ａが一体に形成されている。この脚部２００Ａは、前述したセンター役物１０５の縦壁部１２２の一部としての機能（通常遊技領域１８Ａと特定遊技部１０５Ａとの仕切り）を有する場合がある。
【００７８】
図６及び図７に示される如く、飾りカバー２００の中央には、円形の貫通孔２０２が設けられている。また、この貫通孔２０２の周囲（一対の脚部２００Ａ間である下部領域を除く）には、８個の矩形状貫通孔２０４が均等配置されている。
【００７９】
さらに、飾りカバー２００は、外周縁から遊技盤奥側に向けてリブ２００Ｂが形成され、皿状に形成されている。
【００８０】
この飾りカバー２００の裏面側には、複数層に亘り、電飾関連部品が重ね合わされて組み付けられるようになっている。
【００８１】
以下、図６及び図７に従い、各層の組み付け部品について説明する。
【００８２】
（第１層）
前記飾りカバー２００の裏面側には、第１層として、第２の電飾部の一部を構成するサブレンズユニット２０６が配置されている。サブレンズユニット２０６はリング形状であり、前記８個の矩形状貫通孔２０４にそれぞれ対応するように入賞カウント表示用光学部材２０８（第２の光学部材の一部）が形成されている。
【００８３】
従って、サブレンズユニット２０６を飾りカバー２００の裏面側に第１層として配置する組み付け動作に伴い、８個の入賞カウント表示用光学部材２０８をそれぞれ対応する矩形状貫通孔２０４に対して、一斉に挿入することができる。
【００８４】
（第２層）
飾りカバー２００の裏面側には、第２層として、第１の電飾部の一部及び第２の電飾部のそれぞれ一部を構成するメインレンズユニット２１０が配置されている。
【００８５】
メインレンズユニット２１０は、同芯円上に三重の光学機能を有している。
【００８６】
すなわち、メインレンズユニット２１０の最内周（第１重）が第１の電飾部のラウンド表示用光学部材２１２とされ、中間周（第２重）が第２の電飾部の第１の演出用光学部材２１４とされ、最外周（第３重）が前記サブレンズユニット２０６の入賞カウント表示用光学部材２０８に対峙された拡散部２１６とされている。
【００８７】
また、メインレンズユニット２１０の外周からは、前記飾りカバー２００の一対の脚部２００Ａ間に向けて、筋状の第２の演出用光学部材２１８が一体に形成されている。
【００８８】
また、図７、図９、図１０に示される如く、この第２層であるメインレンズユニット２１０のラウンド表示用光学部材２１２には、光制限部材が貼り付けられている。
【００８９】
本実施の形態では、光制限部材として、透過する光量を制限するＮＤ（減光：Neutral Density）フィルタ２２０（以下、「スモークフィルム２２０」という）と、透過する光を拡散する拡散フィルム２２２との二層構造となっている（図９、図１０参照）。このため、ラウンド表示用光学部材２１２を通過する光は、元の光（発光光）に対し、光量が減少され、かつ方向が拡散されて発光することになる。
【００９０】
なお、光制限部材は、偏向、偏光、波長（色成分）カットといった減光以外の光学的な制限を含む場合がある。
【００９１】
（第３層）
飾りカバー２００の裏面側には、第３層として、拡散シート２２４が配置されている。拡散シート２２４は、薄肉の円形フィルムの外周の一部が半径方向に延出された形状であり、前記第１の演出用光学部材２１４及び第２の演出用光学部材２１８に対峙するように配置されている。なお、この拡散シート２２４は、演出形態によって、組み付けの要否、拡散パターンを決めればよい。
【００９２】
（第４層）
飾りカバー２００の裏面側には、第４層として、リング状の遮蔽板２２６が配置されている。この遮蔽板２２６は、前記入賞カウント表示用光学部材２０８に合わせて、複数の貫通孔２２８が形成されている。
【００９３】
遮蔽板２２６は、前記第３層の拡散シート２２４を介して、前記カウント表示用光学部材２０８の周縁に突き合わされており、各カウント表示用光学部材２０８間を遮蔽（遮光）する機能を有している。
【００９４】
本実施の形態では、８個の入賞カウント表示用光学部材２０８に対して、６個の貫通孔２２８が設けられている。遮蔽板２２６の上端部は、入賞カウント表示用光学部材２０８の２個分に対応する切欠部２３０が形成されている。この状態では、２個の入賞カウント表示用光学部材２０８間は、遮蔽されていない状態である（非遮蔽状態）。
【００９５】
この切欠部２３０は、飾りカバー２００に組み付けられた後は、飾りカバー２００側の一部の部位が非遮蔽部分を補って、２個の入賞カウント表示用光学部材２０８を相互に遮蔽する。
【００９６】
すなわち、構造上、遮蔽板２２６によってカウント表示用光学部材２０８の周縁に突き当てられない部分については、前記飾りカバー２００側から遮蔽板２２６に向けて突起部等が形成されている。このため、遮蔽板２２６が、第４層として組み付けられることで、全て（８個）のカウント表示用光学部材２０８が独立した光路を有することになる。
【００９７】
（第５層）
飾りカバー２００の裏面側には、第５層として、演出用光源基板２３２が配置されている。
【００９８】
演出用光源基板２３２はリング状で、前記ラウンド表示用光学部材２１２に対面する中央部分が貫通されている。この演出用光源基板２３２には、電気配線が施されている。
【００９９】
この演出用光源基板には、第２の電飾部に属する入賞カウント表示用光学部材２０８、第１の演出用光学部材２１４、第２の演出用光学部材２１８に対応して、光源群２３４Ａ、２３４Ｂ、２３４Ｃが取り付けられている。
【０１００】
光源群２３４Ａ、光源群２３４Ｂは，同芯円上に二重（内周が光源群２３４Ａ、外周が光源群２３４Ｂ）に配置され、並びに、光源群２３４Ｃは、飾りカバー２００の脚部２００Ａ間に対応して配置されている。
【０１０１】
同芯円上の外周側に位置する光源群２３４Ｂは８個設けられ、それぞれ、第４層である遮蔽板２２６の貫通孔２２８及び切欠部２３０内に配置され、独立した光路内で入賞カウント表示用光学部材２０８に向けて発光されるようになっている。
【０１０２】
また、同芯円上の内周側に位置する光源群２３４Ａは６個設けられ、第２層であるメインレンズユニット２１０の第１の演出用光学部材２１４に対して周方向に均等配置され、当該第１の演出用光学部材２１４に向けて発光されるようになっている。このとき、遮蔽板２２６によって、前記入賞カウント表示用光学部材２０８に光が漏れることが抑制されるようになっている（図１０の矢印Ａ参照）。
【０１０３】
さらに、光源群２３４Ｃは３個設けられ、第２層であるメインレンズユニット２１０の第２の演出用光学部材２１８に対峙して配置され、当該第２の演出用光学部材２１８に向けて発光されるようになっている。このとき、遮蔽板２２６によって、前記第１の演出用光学部材２１４及び入賞カウント表示用光学部材２０８に光が漏れることが抑制されるようになっている（図１０の矢印Ｂ参照）。
【０１０４】
上記第１層〜第５層までの電飾装置１２４は、前側サブアッセンブリとして、センター役物１０５の前側から、ベース部１０５Ｂに設けられた貫通孔１０５Ｃの周縁に突き当てられて組み付けられるようになっている。
【０１０５】
ベース部１０５Ｂの裏面側には、前記電飾装置１２４の前側サブアッセンブリに対峙するように後側サブアッセンブリ（後述する第６層、第７層）が配置されている。
【０１０６】
後側サブアッセンブリは、図示しないベース台に取り付けられて保持されるようになっており、構造的には、前記前側サブアッセンブリの第１層〜第５層に続けて配置されるようになっている。
【０１０７】
（第６層）
ベース台には、見掛け上、飾りカバー２００の裏面側から数えて第６層となる位置に、第１の電飾部の一部を構成する案内部材２３６が配置されている。
【０１０８】
案内部材２３６は、円筒状の本体部２３８と、この本体部２３８の外周の一部から半径方向に突出するように、袴状の架台部２３９とが一体に形成されている。架台部２３９は、本体部２３８を適正位置に支持した状態で前記ベース台に取り付けるための台座の役目を有する。
【０１０９】
本体部２３８は、一方の端面２３８Ａ側が、前記拡散シート２２４（第３層）、遮蔽板２２６（第４層）、演出用光源基板２３２（第５層）のそれぞれの中央開口を貫通して、第２層のメインレンズユニット２１０のラウンド表示用光学部材２１２の裏面側に対峙されている。なお、実際には、スモークフィルム２２０と拡散フィルム２２２が貼り付けられた面に対峙されている。
【０１１０】
本実施の形態では、ラウンド表示用光学部材２１２と、本体部２３８の一方の端面２３８Ａ側との隙間は０．１ｍｍ以下のように、ほぼ隙間が存在しない状態としている。なお、本体部２３８の一方の端面２３８Ａ側は、ラウンド表示用光学部材２１２に貼り付けられたスモークフィルム２２０又は拡散フィルム２２２に突き当てられた状態であってもよい（図９、図１０参照）。
【０１１１】
本体部２３８は、前記一方の端面２３８Ａ側と他方の端面２３８Ｂ側との間を貫通するように、複数の貫通路２４０が設けられている。
【０１１２】
図８に示される如く、本実施の形態では、この複数の貫通路２４０の１つ１つが７セグメント表示パターンの各セグメントの形状であり、７個の貫通路２４０は、７セグメントの配置（フォーメーション）となっている。なお、型抜き等の成形理由により、前記貫通路２４０以外に、両端面側を貫通しない溝が設けられているが、実用は、７個の貫通路２４０に限定される。
【０１１３】
本体部２３８の一方の端面２３８Ａ側が、前記メインレンズユニット２１０に対峙されることで、各貫通路２４０の独立した光路で他方の端面２３８Ｂ側からの入射光を制御することで、メインレンズユニット２１０のラウンド表示用光学部材２１２では、７セグメントで表現される数字が表示されることになる。
【０１１４】
（第７層）
一方、本体部２３８の他方の端面２３８Ｂ側には、第７層として、情報表示用光源基板２４２が配置されている。
【０１１５】
情報表示用光源基板２４２は、半円（前方後円の半トラック）形状で、前記本体部２３８の他方の端面２３８Ｂ側に対峙している。情報表示用光源基板２４２には、電気配線が施されている。
【０１１６】
この情報表示用光源基板２４２には、本体部２３８の７個の貫通路２４０のそれぞれに対峙する位置に７個の光源群２４４が取り付けられている。
【０１１７】
光源群２４４は、前記本体部２３８の他方の端面２３８Ｂ側において、貫通路２４０に収容されており、この結果、本体部２３８と情報表示用光源基板２４２との隙間は、２ｍｍ以下のように、光が漏れずらい状態となっている。なお、本体部２３８の他方の端面２３８Ｂ側と、情報表示用光源基板２４２の表面（光源群２４４が取り付けられた面）とは、互いに突き当てられていてもよい（図９、図１０参照）。
【０１１８】
本体部２３８の他方の端面２３８Ｂ側から、光源群２４４で発光した光が漏れることが防止されている。言い換えれば、７個の光源群２４４は、それぞれ独立した光路（貫通路２４０の内方空間）を有することになる。
【０１１９】
一方、前述したように、本体部２３８の一方の端面２３８Ａ側は、ラウンド表示用光学部材２１２にほぼ突き当てられている（スモークフィルム２２０及び拡散フィルム２２２を介在する場合がある。）。
【０１２０】
例えば、７セグメント表示パターンで、０〜９までの数字を表示するとき、光源群２４４から当該数字の表示に必要な光源を選択して点灯することで、ラウンド表示用光学部材２１２では、選択された数字が表示される。
【０１２１】
ところで、このラウンド表示用光学部材２１２の７セグメント表示に際し、スモークフィルム２２０、拡散フィルム２２２が、透過する光に対して制限を施している。
【０１２２】
（光制限機能１）
７セグメント表示パターンが非表示のときは、スモークフィルム２２０によって、ラウンド表示用光学部材２１２からは本体部２３８の一方の端面２３８Ａ側の形状等（貫通路２４０の陰影）が見えない状態であり、意匠的に均一な濃度を維持する。
【０１２３】
（光制限機能２）
７セグメント表示パターンが表示のときは、本体部２３８の一方の端面２３８Ａ側から出射した光が、拡散フィルム２２２によって、貫通路２４０の開口全域に行き渡り、鮮鋭な輪郭で各セグメントパターンを表示させる。
【０１２４】
一方、前記ラウンド表示用光学部材２１２、カウント表示用光学部材２０８、第１の演出用光学部材２１４、第２の演出用光学部材２１８でのそれぞれの表示に関して、本実施の形態では、本体部２３８と遮蔽板２２６とが、各光路間に対して、遮蔽（遮光）機能を有している。
【０１２５】
すなわち、本実施の形態では、第１層〜第７層まで組み付けられることで、以下の遮光機能を持つことになる。
【０１２６】
（遮光機能１）  第１の電飾部のラウンド表示用光学部材２１２に照射される光路と、第２の電飾部の入賞カウント表示用光学部材２０８、第１の演出用光学部材２１４、第２の演出用光学部材２１８に照射される光路とが、案内部材２３６（第６層）の本体部２３８によって遮蔽される（図９参照）。
【０１２７】
（遮光機能２）  第２の電飾部において、入賞カウント表示用光学部材２０８、第１の演出用光学部材２１４、第２の演出用光学部材２１８のそれぞれに照射される光路が、遮蔽板２２６（第４層）によって遮蔽される（図１０参照）。
【０１２８】
以下に本実施の形態の作用を説明する。
【０１２９】
（遊技仕様の一例）
パチンコ機１０による遊技では、遊技者がグリップユニット２６を操作すると、一球ずつ発射装置１６５によって上方へ発射される。発射された遊技球ＰＢは、外レール１０２に沿って遊技盤１８の遊技領域に打ち込まれ、遊技釘や風車に当たり方向を変えながら遊技領域内を落下する。そして、入賞せずに遊技領域の下端部に至った遊技球ＰＢはアウト口１２３からパチンコ機１０内に回収される。
【０１３０】
また、遊技球ＰＢが遊技領域内に設けたセンター特定入賞口１１８Ｃ、或いはサイド特定入賞口１１８Ｌ、１１８Ｒに入賞すると、遊技仕様に基づく処理（例えば、羽根部材１１２の開閉動作等）が実行されると共に、発光素子１３７を用いた視覚演出や、スピーカ６０を用いた音演出等が実行される。また、一般入賞口１１４に入賞すると、予め定めた賞球（払い出し）が実行される。
【０１３１】
ここで、羽根部材１１２の開放によって、センター役物１０５内に遊技球ＰＢが入賞した場合は、その後の遊技球ＰＢの動向により、Ｖ入賞するか否かが決定し、Ｖ入賞となった場合に、大役処理が実行される。
【０１３２】
（センター役物１０５による通常遊技状態での遊技）
遊技盤１８上のセンター特定入賞口１１８Ｃに遊技球ＰＢが入賞すると、羽根部材１１２が、２回、所定時間（約０．５秒〜１．０秒間）開放する。また、サイド特定入賞口１１２Ｌ、１１２Ｒに遊技球ＰＢが入賞すると、羽根部材１１２が１回、所定時間（約０．５秒〜１．０秒間）開放する。
【０１３３】
羽根部材１１２が開放している間は、遊技球ＰＢはセンター役物１０５内に流入可能であり、流入した遊技球ＰＢは、まず中間ステージ部１３０へ到達し、当該中間ステージ部１３０の傾斜面に沿って手前側から奥側へ転動する。このとき、堰き止め壁１３４は、非堰き止め位置にあるため、遊技球ＰＢは、そのほとんどが、円筒部材１３２の両側から外れ口１４０へと誘導される。また、円筒部材１３２の貫通孔１３２Ａを通過した遊技球ＰＢは、中間ステージ部１３０の奥側からＶ入賞案内ステージ部１３６へ落下する。なお、中間ステージ部１３０において、運良く、円筒部材１３２の貫通孔１３２Ａに入った遊技球ＰＢもＶ入賞案内ステージ部１３６へ落下する。
【０１３４】
Ｖ入賞案内ステージ部１３６は、中間ステージ部１３０とは逆傾斜となっており、遊技球ＰＢが奥側から手前側へ転動して、Ｖ入賞口１３８或いは外れ口１４０の何れかに流入する。
【０１３５】
（大役処理）
遊技球ＰＢがＶ入賞すると大当たりとなり、通常遊技状態の羽根部材１１２の開放期間（開放時間×開放回数）よりも多くの開放期間で開閉処理（ラウンド処理）が繰り返される大役処理が予め定めた最大ラウンドを限度して、複数ラウンド実行される。
【０１３６】
ここで、ラウンドの継続は、ラウンド中にＶ入賞するか否かによって決定するようになっている。
【０１３７】
本実施の形態における遊技仕様は、所謂自力継続タイプとなっており、大役処理が開始されると、前記堰き止め壁１３４が堰き止め位置となり、センター役物１０５に流入してくる遊技球ＰＢは、中間ステージ部１３０に貯留されることになる。
【０１３８】
中間ステージ１３０に遊技球ＰＢを貯留する理由は、貯留されることで、円筒部材１３２の貫通孔１３２Ａに遊技球ＰＢが入り易くなり、ひいては、Ｖ入賞案内ステージ部１３６に落下したときに、Ｖ入賞し易くなるためである。
【０１３９】
このように、大役処理中に、羽根部材１１２が通常遊技状態よりも多く開放されているときに、センター役物１０５内に遊技球ＰＢが流入すればするほど、ラウンド継続し易くなるため、単調になり易い大役遊技中の遊技も趣向性を向上することができる。
【０１４０】
なお、本実施の形態における遊技仕様において、大当たり後に、所謂自力継続タイプとしたが、予め定められたラウンド数が確約された規定ラウンドタイプであってもよい。また、自力継続タイプと規定ラウンドタイプの何れかを選択（選択は、自動、手動、抽選を問わず）するようにしてもよい。
【０１４１】
（電飾装置１２４）
本実施の形態のセンター役物１０５の上部には、電飾装置１２４が設けられており、遊技の進行に応じて、遊技情報を表示したり、演出を実行する。
【０１４２】
（情報表示）
電飾装置１２４におけるラウンド表示用光学部材２１２では、前記大役処理の際のラウンドを表示する。このため、ラウンド表示用光学部材２１２には、情報表示用光源基板２４２の７個の光源（光源群２４４）が対応している。
【０１４３】
この光源群２４４から照射された光は、本体部２３８に設けられた７個の貫通路２４０によって独立して案内され、ラウンド表示用光学部材２１２へ至る。
【０１４４】
ここで、光源群２４４は、本体部２３８の他方の端面２３８Ｂ側から貫通路２４０に収容され、情報表示用光源基板２４２と本体部２３８とは２ｍｍ以下等の隙間を設けて対峙（又は密着）しているため、当該隙間から光が漏れることがない。
【０１４５】
本体部２３８の一方の端面２３８Ａ側（貫通路２４０の開口）から出射した光は、スモークフィルム２２０及び拡散フィルム２２２を介してラウンド表示用光学部材２１２へ至り、７セグメント表示パターン（０〜９）を表示する。なお、１０ラウンド以降は、例えば、「０」を点滅させるといった手段で代替発光することが可能である。
【０１４６】
このとき、７セグメント表示パターンが非表示のときは、スモークフィルム２２０によって、ラウンド表示用光学部材２１２からは本体部２３８の一方の端面２３８Ａ側（貫通路２４０の陰影）が見えず、明確に非表示状態を維持することができる。
【０１４７】
また、７セグメント表示パターンが表示のときは、本体部２３８の一方の端面２３８Ａ側から出射した光が、拡散フィルム２２２によって、貫通路２４０の開口全域に行き渡らせることができ、鮮鋭の輪郭で各パターン（０〜９）を表示させることができる。
【０１４８】
ここで、ラウンド表示用光学部材２１２において、個体の発光素子を組み合わせて７セグメント表示パターンを形成した場合、配置スペースによって、発光点と、表示点とが離れ、セグメントの表示領域全体が均一に光らないことがあった。
【０１４９】
これに対して、本実施の形態では、発光点と、表示点との間に、円筒形状の本体部２３８を配置し、両端面側から光が漏れないようにすると共に、セグメント形状の７個の貫通路２４０で独立した光路を形成したため、市販の７セグメント表示器と同等の機能を周囲の部品配置に適合させて構築することができる。
【０１５０】
（演出表示）
電飾装置１２４における入賞カウント表示用光学部材２０８、第１の演出用光学部材２１４、第２の演出用光学部材２１８には、それぞれ光源群２３４Ａ、２３４Ｃ、２３４Ｃが対応している。
【０１５１】
光源群２３４Ａは第１の演出用光学部材２１４に対して均等配置され、当該第１の演出用光学部材２１４に向けて発光される。この第１の演出用光学部材２１４は、光源群２３４Ａの点灯、消灯、点滅、色変化等を繰り返す演出表示が主体となる。
【０１５２】
光源群２３４Ｂは遮蔽板２２６の貫通孔２２８に収容され、独立した光路内で入賞カウント表示用光学部材２０８に向けて発光される。カウント表示用光学部材２０８は、大役処理時では、特定遊技部１０５Ａに入賞する遊技球ＰＢの数をカウント表示する。例えば、カウント表示は、８個構成の光源群２３４Ｂが、遊技球ＰＢの入賞毎に１個ずつ点灯する。
【０１５３】
なお、本実施の形態では、１０個の入賞を８個のカウント表示用光学部材２０８で対応している。例えば、９個目の入賞は光源群２３４Ｂの何れかの光源を相対的に低速点滅、１０個目の入賞は光源群２３４Ｂの何れかの光源を相対的に高速点滅させるようにすればよい。
【０１５４】
また、大役処理中以外の時期におけるカウント表示用光学部材２０８は、光源群２３４Ｂの点灯、消灯、点滅、色変化等を繰り返す演出表示を行ってもよい。
【０１５５】
光源群２３４Ｃは第２の演出用光学部材２１８に対峙して配置され、当該第２の演出用光学部材２１８に向けて発光される。第２の演出用光学部材２１８は、光源群２３４Ｃの点灯、消灯、点滅、色変化等を繰り返す演出表示が主体となる。
【０１５６】
ここで、電飾装置１２４には、上記のように、異なる目的で、複数の光源群から独立した表示形態（情報表示、演出表示）で表示制御が実行されるため、相互の光路間で遮光が施されている。
【０１５７】
図９に示される如く、第１の電飾部のラウンド表示用光学部材２１２に照射される光路と、第２の電飾部（入賞カウント表示用光学部材２０８、第１の演出用光学部材２１４、第２の演出用光学部材２１８）に照射される光路とは、案内部材２３６（第６層）の本体部２３８によって遮蔽される（図９の矢印Ｃ参照）。
【０１５８】
このため、７セグメント表示パターンに適用される光に周囲の光が混入することがなく、明確にカウント表示を行うことができる。
【０１５９】
また、図１０に示される如く、第２の電飾部において、入賞カウント表示用光学部材２０８、第１の演出用光学部材２１４、第２の演出用光学部材２１８のそれぞれに照射される光路が、主として遮蔽板２２６（第４層）によって遮蔽される（図１０の矢印Ａ、矢印Ｂ参照）。
【０１６０】
このため、それぞれ独立した演出表示を行う場合に、互いに光が干渉し合うことがなく、目的通りの表現で遊技者に期待感を与えることができる。
【０１６１】
なお、図９（図５のＩＸ−ＩＸ線断面図）、図１０（図５のＸ−Ｘ線断面図）は、各部品の組み付け状態（重なり具合）を簡易的に図示したものである。従って、各部品の面取り加工、Ｒ面加工等を省略して記載しており、各部品の形状は遊技仕様の意匠によって変更される場合がある。
【０１６２】
本実施の形態では、第１の電飾部と第２の電飾部の光源基板（演出用光源基板２３２と情報表示用光源基板２４２）を独立して、二層構造（第４層と第７層）とした。
【０１６３】
本来は、単一の基板で十分であるが、周囲の関連部品との関係で分離したものである。この分離は、本実施の形態では、このような光源基板の複数層構成に対して、遮蔽板２２６及び本体部２３８を組み付けることによる相乗効果で、相互の光が干渉し合うことを防止するといった、従来にはない作用効果をもたらすことができる。
【０１６４】
また、遮蔽板２２６は、基本的には、入賞カウント表示用光学部材２０８、第１の演出用光学部材２１４、第２の演出用光学部材２１８の間を全て遮蔽（遮光）することが好ましいが、周囲の部品形状によって配置できない領域が存在する場合がある。このとき、周囲の部品（例えば、飾りカバー２００等）との組み合わせによって、組み付け状態で入賞カウント表示用光学部材２０８、第１の演出用光学部材２１４、第２の演出用光学部材２１８との間を完全に遮光することができる。
【０１６５】
なお、本実施の形態では、第１の電飾部として、ラウンド表示用光学部材２１２から７セグメント表示パターンの各数字を表示するようにしたが、第１の電飾部は、７セグメント表示パターンに限定されるものではなく、例えば、本体部２３８の貫通路２４０を、適用されるパチンコ機１０のテーマに合わせたキャラクタや図形の形状として表示するようにしてもよい。
【０１６６】
例えば、貫通路（セグメント）の配置により、星、円、多角形、ハート等の図形を表示することも可能である。また、貫通路をマトリクス状のドットパターンとすれば、数字、ひらがな、カタカナ、アルファベット、漢字といった文字や、星、円、多角形、ハート等の図形を表示することも可能である。貫通路の数が多ければ多いほど、表示可能な文字又は図形のドットパターンの解像度を高くすることができる。例えば、案内部材２３６を光ファイバーで構成し、この光ファイバーを介して、光源からの光を案内すれば、光源の外形寸法に影響なく、解像度を設定することができる。毛細形状の光ファイバーであれば、写真画像も表示可能である。
【符号の説明】
【０１６７】
ＰＢ    遊技球
１０    パチンコ機
１８    遊技盤
１９    釘
２１    風車
１０５    センター役物
１０５Ａ    特定遊技部
１０５Ｂ    ベース部
１１２    羽根部材
１１８Ｃ    センター特定入賞口
１１２Ａ    回転軸
１１８Ｌ、１１８Ｒ    サイド特定入賞口
１２２    縦壁部
１２４    電飾装置
１３０    中間ステージ部
１３２    円筒部材
１３２Ａ    貫通孔
１３４    堰き止め壁
１３６    Ｖ入賞案内ステージ部
１３８    Ｖ入賞口
１４０    外れ口
１５０    主制御部
１５２    演出制御部
１５４    払出制御部
２００    飾りカバー
２００Ａ    脚部
２００Ｂ    リブ
２０２    貫通孔
２０４    矩形状貫通孔
２０６    サブレンズユニット「第１層」
２０８    入賞カウント表示用光学部材（第２の光学部材）
２１０    メインレンズユニット「第２層」
２１２    ラウンド表示用光学部材（第１の光学部材）
２１４    第１の演出用光学部材（第２の光学部材）
２１６    拡散部
２１８    第２の演出用光学部材（第２の光学部材）
２２０    スモークフィルム（光制限部材）
２２２    拡散フィルム（光制限部材）
２２４    拡散シート「第３層」
２２６    遮蔽板「第４層」
２２８    貫通孔
２３０    切欠部
２３２    演出用光源基板「第５層」
２３４Ａ、２３４Ｂ、２３４Ｃ    光源群（第２の光源）
２３６    案内部材「第６層」
２３８    本体部（案内部材）
２３８Ａ    一方の端面
２３８Ｂ    他方の端面
２３９    架台部
２４０    貫通路
２４２    情報表示用光源基板「第７層」
２４４    光源群（第１の光源）
【図１】
2016041220.tif 000003
【図２】
2016041220.tif 000004
【図３】
2016041220.tif 000005
【図４】
2016041220.tif 000006
【図５】
2016041220.tif 000007
【図６】
2016041220.tif 000008
【図７】
2016041220.tif 000009
【図８】
2016041220.tif 000010
【図９】
2016041220.tif 000011
【図１０】
2016041220.tif 000012